(57)【要約】【課題】フレームの歪みを矯正する部品取付けを行なった空気調和装置を提供することにある。【解決手段】室内制御ボックス３０へ複数個の取付部４７ａ〜４７ｃを設け、フレーム２３に室内制御ボックス３０を取り付ける取付受け部４６ａ〜４６ｃを、同一の高さで、接合面を水平な平面とした複数個の取付受け部として設ける。前記取付部４７ａ〜４７ｃは、例えば、取付部４７ｂと、取付受け部４６ｂとの接合面同士が接合した場合、取付部４７ａと、取付受け部４６ａとの間には、接合面同士の平行な隙間が形成される様な取付部４７ａとし、取付部４７ｃと、取付受け部４６ｃとの間には、接合面同士の平行でない隙間が形成される様な取付部４７ｃとする。そして、これら取付部４７ａ〜４７ｃ、および、取付受け部４６ａ〜４６ｃをねじなどで固定することにより、前記フレーム２３の歪みは、矢印ロの方向へ矯正される。【選択図】　　　図７
2004077089.tif 000002
【特許請求の範囲】
【請求項１】
室内ユニットの外装体が、少なくとも制御ボックスを取り付けたフレームへ、フロントグリルを取り付けて構成される空気調和装置において、
前記制御ボックスを前記フレーム上へ取り付けることにより、前記フレームの歪みを矯正したことを特徴とする空気調和装置。
【請求項２】
前記制御ボックスへ複数個の取付部を設け、前記フレーム上へ、これら取付部に対応する取付受け部を設けて、前記制御ボックスを前記フレームへ取り付けることを特徴とする請求項１に記載の空気調和装置。
【請求項３】
前記制御ボックスに設けた前記複数個の取付部と、前記フレーム上に設けた前記取付受け部とを接合させた際、前記取付部と、前記取付受け部とから成る接合部の少なくともいずれか１つに隙間が形成されることを特徴とする請求項１または２に記載の空気調和装置。
【請求項４】
前記取付部と、前記取付受け部との間に形成される前記接合部の隙間を、前記取付部の接合面と、前記取付受け部の接合面との平行な接合面から成る隙間、或いは、前記取付部の接合面と、前記取付受け部の接合面との平行で無い接合面から成る隙間の少なくともいずれかの隙間としたことを特徴とする請求項１乃至３のいずれかに記載の空気調和装置。
【請求項５】
室内ユニットの外装体が、少なくとも制御ボックスを取り付けたフレームへ、フロントグリルを取り付けて構成される空気調和装置において、
前記フレームが送風モータを支持するとともに、その側方に室内制御ボックスを支持し、前記フレームにおける前記送風モータおよび室内制御ボックスの取付部近傍に配管引出し用の切り欠きを有し、かつ、室内制御ボックスに取付部を形成し、前記フレームに取付受け部を形成して、ネジ止め時に前記切り欠きを境にして前記室内制御ボックス側のフレームを前記室内ユニットの前面側に引き出す様に前記取付部と、前記取付受け部との間に隙間を設けたことを特徴とする空気調和装置。
【発明の詳細な説明】
【０００１】
【発明の属する技術分野】
外装体のフレーム上へ、内蔵する部品を取り付けて載置し、このフレームへフロントグリルを取り付けて構成される空気調和装置に関する。
【０００２】
【従来の技術】
これまでの空気調和装置では、外装体の１つであるフレーム上へ、熱交換器などの内蔵する各部品を取り付けて載置し、このフレームへ、フロントグリルなどを取り付けて、室内ユニットを構成することが一般的である。
【０００３】
例えば、室内ユニットでは、樹脂の成形品によるフレームと、フロントグリルとから成る外装体を有し、前記フレーム上へ、内蔵する室内熱交換器や、室内送風機、室内制御部を載置して固定し、このフレームへ前記フロントグリルを取り付けて構成されている。
【０００４】
このフレームの中央には、横方向へ延びた風導板が形成されており、この風導板の上方には、前記風導板に沿って背面ドレンパンが形成されている。また、一方の側端部には、室内制御部を内蔵した室内制御ボックス取付部が形成されており、この室内制御ボックス取付部と、前記風導板との間には、クロスフローファンを駆動する送風モータ取付部が形成されている。
【０００５】
さらに、前記送風モータ取付部の上方には、前記室内熱交換器から延びる冷媒配管をこのフレームの背面側へと引き出すための冷媒配管引出し部が切り欠きとして設けられ、前記風導板の下部の両側端部付近には、前記室内熱交換器の表面に結露したドレン水を排水するドレン配管を前記フレームの背面側へと引き出すためのドレン配管引出し部が開口されている。
【０００６】
そして、前記フレーム上に形成された、これらの取付部へ、前記室内熱交換器や、室内制御ボックスなどの各部品を取り付けて載置し、前記フロントグリルを、前記各部品を覆う様に前記フレームへ取り付けて構成されている。
【０００７】
ここで、前記室内熱交換器などの前記フレーム上の広い範囲に渡り取付部を有する部品は、多少重量のある部品であっても前記重量が前記フレーム上で分散されて取り付けられることと、前記室内熱交換器は、前記フレームの長手方向に配管を並べて配置し、組み上げられた部品であるため、前記フレームの剛性強度を向上させる傾向にある。
【０００８】
請求項５に記載の発明は、室内ユニットの外装体が、少なくとも制御ボックスを取り付けたフレームへ、フロントグリルを取り付けて構成される空気調和装置において、前記フレームが送風モータを支持するとともに、その側方に室内制御ボックスを支持し、前記フレームにおける前記送風モータおよび室内制御ボックスの取付部近傍に配管引出し用の切り欠きを有し、かつ、室内制御ボックスに取付部を形成し、前記フレームに取付受け部を形成して、ネジ止め時に前記切り欠きを境にして前記室内制御ボックス側のフレームを前記室内ユニットの前面側に引き出す様に前記取付部と、前記取付受け部との間に隙間を設けたことを特徴とするものである。
【０００９】
【発明が解決しようとする課題】
ところが、前記送風モータは、モータケース内に磁石を固着した回転子と、この回転子を回転させる銅線を捲き込んだ鉄製のコアを内蔵しているため、取付ける面積は少なくて済むものの、重量は比較的重い部品となる。
【００１０】
この送風モータを前記フレーム上の送風モータ取付部へ取り付けた場合、前記フレーム上の一部に重量がかかることとなるため、前記フレームが一時的に歪み易いものとなってしまった。
【００１１】
もちろん、前記フロントグリルを前記各部品を取り付けた前記フレームへ取り付けた場合、前記フレームの歪は矯正され、問題無いものとなってはいたが、工場での組立て作業時、前記送風モータの取り付けの順番が早いため、前記フロントグリルの取り付けが完了するまで、作業者が手で前記フレームの歪を抑え、作業を行なうこととなっていた。
【００１２】
また、前記空気調和装置の据付け後、経年変化によっては、前記フレームと、前記フロントグリルの取付面に隙間を生じて来る物も稀にあるため、これに対する改善が望まれていた。
【００１３】
そこで、本発明の目的は、フレームの歪みを矯正する部品取付けを行なった空気調和装置を提供することにある。
【００１４】
【課題を解決するための手段】
請求項１に記載の発明は、室内ユニットの外装体が、少なくとも制御ボックスを取り付けたフレームへ、フロントグリルを取り付けて構成される空気調和装置において、前記制御ボックスを前記フレーム上へ取り付けることにより、前記フレームの歪みを矯正したことを特徴とするものである。
【００１５】
請求項２に記載の発明は、請求項１に記載のものにおいて、前記制御ボックスへ複数個の取付部を設け、前記フレーム上へ、これら取付部に対応する取付受け部を設けて、前記制御ボックスを前記フレームへ取り付けることを特徴とするものである。
【００１６】
請求項３に記載の発明は、請求項１または２に記載のものにおいて、前記制御ボックスに設けた前記複数個の取付部と、前記フレーム上に設けた前記取付受け部とを接合させた際、前記取付部と、前記取付受け部とから成る接合部の少なくともいずれか１つに隙間が形成されることを特徴とするものである。
【００１７】
請求項４に記載の発明は、請求項１乃至３のいずれかに記載のものにおいて、前記取付部と、前記取付受け部との間に形成される前記接合部の隙間を、前記取付部の接合面と、前記取付受け部の接合面との平行な接合面から成る前記隙間、或いは、前記取付部の接合面と、前記取付受け部の接合面との平行で無い接合面から成る前記隙間の少なくともいずれかの隙間としたことを特徴とするものである。
【００１８】
【発明の実施の形態】
以下に、添付図面を参照して本発明の一実施の形態を詳細に説明する。
【００１９】
図１は、本発明によるフレームの歪みを矯正する部品取付けを行なった空気調和装置の一例として、冷媒を循環させて冷暖房運転を行なう壁掛け式の空気調和装置１００の冷媒回路図である。
【００２０】
空気調和装置１００は、室外ユニット１と、壁掛け式の室内ユニット２とをユニット間配管３と、通信配線４とで接続して構成されている。
【００２１】
室外ユニット１には、冷媒を圧縮して吐出する圧縮機１０と、前記冷媒の循環方向を反転させる四方弁１１と、前記冷媒と大気との熱交換を行わせる室外熱交換器１２と、前記冷媒の減圧を行う減圧弁１３と、前記圧縮機１０へ流入する冷媒の気液分離を行うアキュームレータ１４とが冷媒配管で接続されて内蔵されている。
【００２２】
さらに、前記室外熱交換器１２への送風を行う室外送風機１５と、この室外ユニット１の制御と、後述する室内ユニット２に内蔵された室内制御部２２との通信を行なう室外制御部１６とが内蔵されている。
【００２３】
室内ユニット２には、室内熱交換器２０と、この室内熱交換器２０への送風を行なう室内送風機２１と、この室内ユニット２の制御、および、上記室外ユニット１に内蔵された室外制御部１６との通信を行なう室内制御部２２とが内蔵されている。
【００２４】
図２は、本空気調和装置１００の室内ユニット２について示した外観斜視図である。
【００２５】
室内ユニット２の外装体は、主に背面側を覆うフレーム２３と、主に前面側を覆うフロントグリル２４とで構成されており、この外装体に囲まれた空間内に室内熱交換器２０、室内送風機２１、および、室内制御部２２等が収納されている。
【００２６】
前記フロントグリル２４には、その上部に吸込み口２７Ａが設けられ、前部に吸込み口２７Ｂ、２７Ｃを備え、下端部を開放可能に取り付けられた吸込みグリル２８が設けられ、下部に上下方向風向板２５と、図示しない左右方向風向板とを備えた吹出し口２６が形成されている。
【００２７】
図３は、前記室内ユニット２の側面断面図である。
【００２８】
この図３を参照して、室内熱交換器２０は、３つの熱交換部２０Ａ、２０Ｂ、２０Ｃに分割されている。上記フレーム２３と、フロントグリル２４とから構成された前記外装体の内部に形成された前面側空間Ａには、第一熱交換部２０Ａが配置され、上面側空間Ｂには、図注でハの字形に第二、第三熱交換部２０Ｂ、２０Ｃが配置されている。そして、この室内熱交換器２０の内側には、送風モータ２９と、クロスフローファン３１とで構成された室内送風機２１が配置されている。
【００２９】
第一熱交換部２０Ａと、第二熱交換部２０Ｂのドレン水は、前面ドレン受け３２で受けられ、第三熱交換部２０Ｃのドレン水は、背面ドレン受け３３で受けられる。
【００３０】
また、図３中でのハの字形に配置された第二熱交換部２０Ｂと、第三熱交換部２０Ｃとの間には隙間が形成され、この隙間には、上記クロスフローファン３１で吸引される空気の流れ方向に沿って、加湿器３４が挿入配置されている。
【００３１】
また、前記クロスフローファン３１背面に位置する前記フレーム２３には、このクロスフローファン３１により吹き出される風を案内する風導板３５が形成されている。この風導板３５は、フレーム２３の一部を構成する背板３６に一体に形成されており、クロスフローファン３１を収納する部分３７ａは凹状に形成され、さらに、前記風導板の上端部には、絞り口３７ｂが凸状に形成されている。
【００３２】
フロントグリル２４の正面には、吸込み口２７Ｂ、および、２７Ｃを備えた吸込みグリル２８が、その下端部を開放可能に取り付けられており、このフロントグリル２４の天面には、吸込み口２７Ａが形成され、これら吸込み口２７Ａ〜２７Ｃの内側にはフィルタ３８が配置されている。フロントグリル２４の下側には、吹出し口２６が形成されており、この吹出し口２６には空気の吹出し方向を案内する上下方向案内羽根２５と、左右方向案内羽根３９とが設けられている。このフレーム２３の背面上端部には、この室内ユニット２を室内壁面へ取り付けるための室内ユニット本体支持部４０が設けられている。
【００３３】
また、室内ユニット２のフロントグリル２４を外して、この室内ユニット２を正面から見ると、図４に示す様に、略このフレーム２３の前面を覆う様に室内熱交換器２０が載置され、側端部には、室内制御部を納めた室内制御ボックス３０が、取付部Ａ〜Ｃで取り付けられており、前記室内熱交換器２０と、室内制御ボックス３０との間には、送風モータ２９が載置されている。
【００３４】
ここで、このフレーム２３について、図５を参照しながら説明する。図５（ａ）は、フレーム２３の正面図であり、図５（ｂ）は、フレーム２３の右側面図であり、図５（ｃ）〜（ｅ）は、このフレーム２３上に設けられた取付受け部４６ａ〜４６ｃの拡大図である。
【００３５】
図５（ａ）を参照して、このフレーム２３の中央付近には、横方向に延びた風導板３５が形成されており、この風導板３５の上端部には、上記説明の絞り口３７ｂ、および、背面ドレン受け３３が形成されている。この風導板３５には、補強のためのリブ４３が設けられており、上記説明の様に、この風導板３５を覆う形に室内熱交換器２０が載置される訳である、また、図４でも示した様に、前記側端部には、室内制御ボックス載置部４１が形成されており、この室内制御ボックス載置部４１と、前記風導板３５との間には、送風モータ２９を載置固定するモータ載置部４２が形成されている。
【００３６】
さらに、このモータ載置部４２の下方には、前記前面ドレン受け３２、および、背面ドレン受け３３で受けたドレン水を排水するためのドレン配管を、フレーム２３の背面側へと挿通させるドレン配管挿通口４４が開口されており、前記モータ載置部４２の上方には、室内熱交換器２０から延びる冷媒配管をフレーム２３の背面側へと挿通させる冷媒配管挿通口４５が開口されている。
【００３７】
この様に、フレーム２３上の前記モータ載置部４２付近の剛性強度は、他の載置部に比べ若干弱いものとなってしまっているため、フレーム２３のモータ載置部４２へ送風モータ２９を取り付けた場合、図７の矢印イで示す方向へ前記フレーム２３は歪ませられてしまうことから、前記フレーム２３上の室内制御ボックス載置部４１へ、後述する室内制御ボックス取付部４７Ａ〜４７Ｃの取付受け部４６Ａ〜４６Ｃを設けて、前記送風モータ２９を前記モータ載置部４２へ載置した場合の前記フレーム２３の歪みの矯正と、剛性強度を確保させている。
【００３８】
このフレーム２３の取付受け部４６Ａ〜４６Ｃは、図５（ｂ）に示す様に、フレーム２３の前面端面から同一の高さｄ１突出した水平な接合面を有するものとなっている。また、これら取付受け部４６ａ〜４６ｃには、図５（ｃ）〜（ｅ）に示す様に、室内制御ボックス３０を取り付けるネジ孔４８がそれぞれ設けられている。
【００３９】
図６（ａ）は、前記室内制御ボックス３０の正面図であり、図６（ｂ）は、前記室内制御ボックス３０の右側面図であり、図６（ｃ）は、前記室内制御ボックス３０の左側面図であり、図６（ｄ）〜（ｆ）は、取付部４７ａ〜４７ｃの拡大図である。
【００４０】
この図６（ａ）〜（ｃ）を参照して、室内制御ボックス３０の右側面には、前記フレーム２３上に設けられた取付受け部４６ａ、４６ｂへ取り付け固定する取付部４７ａ、４７ｂが設けられ、室内制御ボックス３０の左側面には、前記フレーム２３上に設けられた取付受け部４６ｃへ取り付け固定する取付部４７ｃが設けられている。そして、これら取付部４７ａ〜４７ｃは、前記室内制御ボックス３０の底面からの高さがｄ２の同一の高さに設けられている。
【００４１】
しかし、これら取付部４７ａ〜４７ｃの前記接合面は、図６（ｄ）〜（ｆ）に示す様に、それぞれが、異なるものとなっており、それぞれにネジ挿通孔４９が設けられている。例えば、図６（ｄ）、（ｅ）に示す様に、取付部４７ｂの水平な接合面に対し、取付部４７ａの接合面は、同様に水平で有るものの高さｄ３高い位置とされており、取付部４７ｃの接合面は、取付部４７ｂの水平な接合面に対し、高さ位置は同じであるが、高さｄ４の傾斜を持たせた接合面とされている。
【００４２】
そして、この室内制御ボックス３０を前記フレーム２３へ取り付けた場合、前記取付部４７ｂの接合面と、前記取付受け部４６ｂの接合面とは、双方が水平な接合面となっており、前記接合面同士は接するものとなるが、前記取付部４７ａの接合面と、前記取付受け部４６ａの接合面とは、前記高さｄ３の平行な接合面同士の隙間が設けられて接するものとなる。
【００４３】
また、取付部４７ｃの接合面と、取付受け部４６ｃの接合面とは、前記取付部４７ｃの接合面が斜面となっていることから、前記風導板３５に向けて間隔が広がる平行な接合面同士で無い隙間が設けられて接することとなる。
【００４４】
そして、これら取付部４７ａ〜４７ｃと、取付受け部４６ａ〜４６ｃとからなるそれぞれの接合部Ａ〜Ｃを、ネジ５０を用いてネジ挿通孔４９を挿通させ、ネジ孔４８へ締め付けることにより、前記取付部４７ｂと、取付受け部４６ｂとは、そのまま前記接合面同士が接した状態で固定され、前記取付部４７ａと、前記取付受け部４６ａとは、前記高さｄ３の平行な隙間を縮めるかたちにフレーム２３が矯正されて固定され、前記取付部４７ｃと、前記取付受け部４６ｃとは、前記高さｄ４の斜面による平行で無い隙間を縮めるかたちにフレーム２３が矯正されて固定される。
【００４５】
これにより前記フレーム２３は、図７の矢印ロに示す様に、前記フレーム２３の室内制御ボックス載置部４１側の側端部を前面側へと引き出すかたちとなり、その歪みを矯正されるとともに、剛性強度が確保されることとなる。
【００４６】
さらに、上記説明の様に、前記取付部４７ｃの前記接合面が斜面とされているため、前記フレーム２３上で室内制御ボックス３０は、若干、前記風導板３５に傾いて固定されるものとなるため、フロントグリル２４を前記フレーム２３へ取り付ける場合にも、邪魔となることは無い。
【００４７】
なお、本実施の形態では、フレーム２３の設けた室内制御ボックス３０の取付受け部４６Ａ〜４６Ｃを同一の高さの接合面を有する取付受け部として説明したが、特にこれに限定されるものでは無く、取付受け部４６Ａ〜４６Ｃが、それぞれ異なる高さの接合面を有する取付受け部としても良い。それは、前記室内制御ボックス３０の取付部４７Ａ〜４７Ｃと、フレーム２３の取付受け部４６Ａ〜４６Ｃとのそれぞれの接合部が、異なる高さにあったとしても、少なくとも１箇所の接合部を接するものとし、他の接合部を隙間が形成されるものとして、これら全ての接合部を固定することにより、前記フレーム２３は上記説明と同様に矯正されるからである。
【００４８】
また、前記取付部４７ａ、４７ｂ、および、取付受け部４６ａ〜４６ｃの接合面を、水平な平面として説明したが、特に、これに限定するものでは無く、前記接合面を斜面同士とし、接合させるものとしても構わない。
【００４９】
【発明の効果】
以上の説明の様に、制御部を納めた制御ボックスへ、複数個の取付部を設け、これら取付部に対応する取付受け部を、空気調和装置のフレーム上へも設けて、これら複数個の取付部と、前記取付受け部とで形成される接合部を、少なくともいずれか１つの接合部が接合した際、他の接合部に形成される前記取付部の接合面と、前記取付受け部の接合面との間へ、平行な接合面同士による隙間、或いは、平行で無い接合面同士の少なくともいずれかが形成されるようにする。
【００５０】
そして、これらの接合部をネジなどで固定することにより、それぞれの接合部に形成された前記隙間は、前記ネジなどの固定により縮められるため、前記フレームの歪みは矯正されることとなる。
【図面の簡単な説明】
【図１】本発明による空気調和装置の冷媒回路図である。
【図２】室内ユニット２の外観斜視図である。
【図３】室内ユニット２の側面断面図である。
【図４】室内ユニット２のフロントグリル２４を外して内部を示した正面図である。
【図５】（ａ）はフレーム２３の正面図であり、（ｂ）はフレーム２３の右側面図であり、（ｃ）〜（ｅ）は、このフレーム２３上に設けられた取付受け部４６ａ〜４６ｃの拡大図である。
【図６】（ａ）は前記室内制御ボックス３０の正面図であり、（ｂ）は前記室内制御ボックス３０の右側面図であり、（ｃ）は前記室内制御ボックス３０の左側面図であり、（ｄ）〜（ｆ）は取付部４７ａ〜４７ｃの拡大図である。
【図７】フレーム２３へ室内制御ボックス３０を取り付けた図である。
【符号の説明】
２２　室内制御部
２３　フレーム
２４　フロントグリル
４０　室内ユニット本体支持部
４１　室内制御部ボックス載置部
４２　モータ載置部
４３　リブ
４４　ドレン配管挿通口
４５　冷媒配管挿通口
４６ａ〜４６ｃ　取付受け部
４７ａ〜４７ｃ　取付部
１００　空気調和装置
【図１】
2004077089.tif 000003
【図２】
2004077089.tif 000004
【図３】
2004077089.tif 000005
【図４】
2004077089.tif 000006
【図５】
2004077089.tif 000007
【図６】
2004077089.tif 000008
【図７】
2004077089.tif 000009